(57)【特許請求の範囲】
【請求項１】
機械部材及び電気部材を備え、前記機械部材は使用者が操作するプッシュボタン手段（
Ｐ．Ｐ．）を備え、前記電気部材は動作可能に相互接続されるコイル手段、コンデンサ手
段（Ｃ１、Ｃ２、Ｃ３）、抵抗器手段（Ｒ１−Ｒ４）、及びダイオード手段（Ｒ−Ｓ）を
備える双安定型ステップ・バイ・ステップ式電気リレー構造体であって、前記コイル手段
（Ａ又はＢ）は相互接続される２個のコイル（Ａ及びＢ）を備え、前記使用者が前記プッ
シュボタン手段を操作して前記電気リレー構造体の少なくとも１個の接点をスイッチング又は交換することにより、前記コンデンサ手段（Ｃ１、Ｃ２、Ｃ３又はＣ１）が充電され、前記２個のコイル（Ａ及びＢ）の一方（Ａ又はＢ）が短絡することにより、前記電気リレー構造体にロジックセット機能及びロジックリセット機能を与え、
前記２個のコイル（Ａ、Ｂ）は、一方端と他方端を備えており、前記一方端の各々は、第１の位置（Ｒ）から第２の位置（Ｓ）へスイッチング可能な交換接点の端子（Ｃ）に接続されており、前記端子（Ｃ）は第１のダイオードの陰極に接続され、前記第１のダイオードの陽極は前記プッシュボタン手段（Ｐ．Ｐ．）の一方端に接続され、前記プッシュボタン手段（Ｐ．Ｐ．）の他方端は接地され、
前記２個のコイル（Ａ、Ｂ）の他方端の各々と供給電圧端子（２２０Ｖａｃ）間には、前記コンデンサ手段（Ｃ１、Ｃ２、Ｃ３又はＣ１）が接続されており、前記２個のコイル（Ａ、Ｂ）の他方端の各々には、第２のダイオード（Ｒ）及び第３のダイオード（Ｓ）の各陰極が接続されていることを特徴とする、双安定型ステップ・バイ・ステップ式電気リレー構造体。
【請求項２】
請求項１に記載の電気リレー構造体において、前記コンデンサ手段は各々の一方端が第
１の抵抗器（Ｒ１）の第１の端部に接続される第１のコンデンサ（Ｃ１）及び第２のコン
デンサ（Ｃ２）を備え、前記第１の抵抗器（Ｒ１）の他方端は前記供給電圧端子（２２０Ｖａｃ）に接続され、前記コンデンサ手段の各々の他方端は前記２個のコイル（Ａ、Ｂ）の前記他方端の各々に接続され、前記２個のコイル（Ａ、Ｂ）の前記一方端は接地され、前記コンデンサ手段（Ｃ１、Ｃ２）の各々の前記他方端の各々には第２のダイオード（Ｒ）及び第３のダイオード（Ｓ）の各陰極が接続され、前記第２のダイオード（Ｒ）及び前記第３のダイオード（Ｓ）の各々の陽極は前記プッシュボタン手段（Ｐ．Ｐ．）に接続され、前記抵抗器手段（Ｒ１−Ｒ３）は、前記コンデンサ手段の前記一方端の各々及び前記供給電圧端子（２２０Ｖａｃ）に接続されて前記コンデンサ手段（Ｃ１、Ｃ２）の充電電流を制限する前記第１の抵抗器（Ｒ１）と、前記供給電圧端子（２２０Ｖａｃ）及び接地間に接続されて前記プッシュボタン手段（Ｐ．Ｐ．）の一コマンドから他コマンドへの経過時間を調節する第２の抵抗器（Ｒ２）と、一方端が接地され、他方端が前記コンデンサ手段（Ｃ１、Ｃ２）の各々の前記各他方端に接続されてバウンス又はバックスイッチの発生を防止する第３の抵抗器（Ｒ３）及び第４の抵抗器（Ｒ４）とを含むことを特徴とする、電気リレー構造体。
【請求項３】
請求項１に記載の電気リレー構造体において、前記電気リレー構造体は更に、前記２個
のコイルの接地されていない前記他方端の各々を接続して、短絡した前記コイル（Ａ又はＢ
）の状態保持を向上させる別のコンデンサ（Ｃ３）を含むことを特徴とする、電気リレー構造体。
【請求項４】
請求項１に記載の電気リレー構造体において、前記２個のコイル（Ａ、Ｂ）の一方端の各
々は相互及び前記第１のダイオードの前記陰極に接続され、前記第１のダイオードの陽極は前記プッシュボタン手段（Ｐ．Ｐ．）に接続され、前記２個のコイル（Ａ、Ｂ）の他方端の各々は第１のコンデンサ（３）を介して相互接続され、前記第１のコンデンサ（３）の一方端は前記１個のコイル（Ｂ）および２個の抵抗器（Ｒ１、Ｒ２）を介して前記供給電圧端子（２２０Ｖａｃ）に接続され、前記第１のコンデンサ（３）の他方端は第３の抵抗器（Ｒ３）の一方端に接続され、前記第３の抵抗器（Ｒ３）の他方端は別のコンデンサ（Ｃ１）の一方端に接続され、前記別のコンデンサ（Ｃ１）の他方端は前記供給電圧端子（２２０Ｖａｃ）に接続され、前記抵抗器（Ｒ２及びＲ３）の各端部は直接相互接続されることを特徴とする、電気リレー構造体。
【請求項５】
機械部材及び電気部材を備え、前記機械部材は使用者が操作するプッシュボタン手段（
Ｐ．Ｐ．）を備え、前記電気部材は動作可能に相互接続されるコイル手段、コンデンサ手
段（Ｃ１、Ｃ２、Ｃ３）、抵抗器手段（Ｒ１−Ｒ４）、及びダイオード手段（Ｒ−Ｓ）を
備える双安定型ステップ・バイ・ステップ式電気リレー構造体であって、前記コイル手段
（Ａ又はＢ）は分極化又はバイアスにより２個の極性を有する単一コイル（Ａ又はＢ）を
備え、前記使用者が前記プッシュボタン手段を操作して前記電気リレー構造体の少なくとも１個の接点をスイッチング又は交換することにより、前記コンデンサ手段（Ｃ１、Ｃ２、Ｃ３又はＣ１）が充電され、前記単一コイル（Ａ又はＢ）の前記２個の極性が相互に逆転することにより、前記電気リレー構造体にロジックセット機能及びロジックリセット機能を与え、
前記単一コイル（Ａ、Ｂ）は、第１の端部（Ａ）と第２の端部（Ｂ）を備えており、
前記第１の端部（Ａ）と前記第２の端部（Ｂ）の間は、第１のコンデンサ（Ｃ３）が接続されており、前記第１のコンデンサ（Ｃ３）の一方端と他方端の間には、第１の位置（Ｒ）から第２の位置（Ｓ）へスイッチング可能な交換接点の端子（Ｃ）が接続され、前記端子（Ｃ）は、第１のダイオードの陰極に接続され、前記第１のダイオードの陽極は前記プッシュボタン手段（Ｐ．Ｐ．）の一方端に接続され、前記プッシュボタン手段（Ｐ．Ｐ．）の他方端は接地され、
前記第１及び第２の端部（Ａ、Ｂ）と供給電圧端子（２２０Ｖａｃ）間には、第２のコンデンサ（Ｃ１）が接続されており、前記第１及び第２の端部（Ａ、Ｂ）の各々には、第２のダイオード（Ｒ）及び第３のダイオード（Ｓ）の各陰極が接続されていることを特徴とする、双安定型ステップ・バイ・ステップ式電気リレー構造体。
【請求項６】
請求項５に記載の電気リレー構造体において、前記分極化又はバイアスした単一コイル
（Ａ、Ｂ）の前記第１の端部（Ａ）は第１の抵抗器（Ｒ２）の第１の端部に接続され、前記第１の抵抗器（Ｒ２）の第２の端部（Ｂ）は第２の抵抗器（Ｒ１）の第１の端部に接続され、前記第２の抵抗器（Ｒ１）の第２の端部は前記供給電圧端子（２２０Ｖａｃ）に接続され、前記単一コイル（Ａ、Ｂ）の前記第１の端部（Ａ）は更に第３の抵抗器（Ｒ４）の第１の端部に接続され、前記第３の抵抗器（Ｒ４）の第２の端部は第１の位置（Ｒ）から第２の位置（Ｓ）へスイッチング可能な交換接点の端子（Ｃ）に接続され、前記端子（Ｃ）は前記第１のダイオードの陰極に接続され、前記第１のダイオードの陽極は第１のプッシュボタン（Ｐ．Ｐ．）に接続され、前記交換又はスイッチング接点の前記端子（Ｃ）は、切位置から入位置にスイッチング可能な別の交換又はスイッチング接点（Ｃ１）の端子（Ｃｏｍ）に、第１のコンデンサ（Ｃ３）に接続される前記単一コイルに並列に機械的に接続され、前記第１のコンデンサ（Ｃ３）の一方端は前記第３の抵抗器（Ｒ４）の前記第１の端部に接続され、前記第１のコンデンサ（Ｃ３）の他方端は前記単一コイル（Ａ、Ｂ）の前記第２の端部（Ｂ）及び第５の抵抗器（Ｒ５）の一方端に接続され、前記第５の抵抗器（Ｒ５）の他方端は前記第１のダイオードの前記陰極に接続され、前記単一コイル（Ａ、Ｂ）の前記第２の端部（Ｂ）は第４の抵抗器（Ｒ３）の第１の端部に接続され、前記第４の抵抗器（Ｒ３）の第２の端部は第２のコンデンサ（Ｃ１）の第１の端部に接続され、前記第２のコンデンサ（Ｃ１）の第２の端部は前記供給電圧端子（２２０Ｖａｃ）に接続され、前記第１の抵抗器（Ｒ２）の前記第２の端部は前記第４の抵抗器（Ｒ３）の前記第２の端部に短絡し、前記第１の抵抗器（Ｒ２）の前記第１の端部は第２のダイオード（Ｒ）の陰極に直接接続され、前記第２のダイオード（Ｒ）の陽極は第２のプッシュボタンに接続され、前記第５の抵抗器（Ｒ５）の前記一方端は第３のダイオード（Ｓ）の陰極および前記スイッチング接点の端子（Ｒ）に接続され、前記第３のダイオード（Ｓ）の陽極は第３のプッシュボタンに接続され、前記スイッチング接点の別の端子（Ｓ）は前記単一コイルの前記端子（Ａ）及び前記第１のコンデンサ（Ｃ３）の前記第１の端部に接続されることを特徴とする、電気リレー構造体。
【発明の詳細な説明】
【技術分野】
【０００１】
本発明はステップ・バイ・ステップ式電気リレー構造体に関する。
【背景技術】
【０００２】
公知の通り、リレーは、電源又は駆動回路における変動を検知するとこれに対応して少なくとも１個の被駆動回路を変動させることにより、小電力の駆動信号でより大電力の被駆動回路を動作させることを可能とする装置である。
【０００３】
また、上述のリレーは電気リレー、電気機械リレー、及び電子リレーの３種類に分類可能であることも公知の通りである（熱リレー、電極等を除く）。
【０００４】
電気リレーは電気的な電源回路及び被駆動回路のみを用いる：このような電気リレーには利点がいくつかあり、繊細な能動電子部材を必要とせず、消費電力の小さい抵抗、コンデンサ及びダイオードのみを用いる点もその１つである。
【０００５】
また、電気リレーはノイズが非常に少なく、２２０Ｖａｃで直接動作させることも可能であり、更に従来の電気機械型３線式ステップ・バイ・ステップ式リレーとして接続することも可能である。
【０００６】
また、電気リレーは「明快（ｃｌｅａｎ）」な、すなわち非半導体型の接点を有し、スイッチング能力が非常に高く、短絡に対して耐性を有する点でも実用的である。
【０００７】
次に、電気機械リレーは供給電流の強度変動に敏感な電磁石を備える電気リレーであり、軟鉄可動電機子で動作し、少なくとも１個の接点を開放又は閉鎖する。
【０００８】
このような電気機械リレーは構造的強度が高く、スイッチング電流の大小に関わらず十分に動作するよう構成されるが、大型で動作ノイズが大きく、スイッチング動作における電力消費が大きいため、動作電力が大きくなる。
【０００９】
最後に、電子リレーはシリコン制御トランジスタ及びダイオード等の半導体電子部材を用いた小型のリレーであり、動作が柔軟でノイズが少ない。
【００１０】
しかしながら、このような電子リレーはピーク電圧及び高電流に非常に敏感で、端部に半導体を含むため、例えば接続される負荷が短絡すると「焼け付く」場合がある。
【００１１】
電子リレーの上述のような欠点にも関わらず、今日のリレー技術は電子リレーを引続き開発する方向へ進んでいるようであり、これは電気機械リレーとって、更には電気リレーにとっても（明らかな）損失であり、電子リレーと比べた場合の電気リレーの上述の大きな利点及びその他の利点の観点から、本願出願人には妥当ではないと思われる。
【発明の概要】
【００１２】
したがって、本発明の課題は、電気リレーの上述の利点全て及び電子リレーの上述の利点を略全て統合し、電子リレーの上述の欠点全てを解消した改良型電気リレー構造体を提供することである。
【００１３】
上述の課題の範囲内として、本発明の主たる目的は、動作が非常に安定し、小型でノイズが無く、能動電子部材を備えず、非常に少ない数の受動素子を備えるステップ・バイ・ステップ式電気リレー構造体を提供することである。
【００１４】
本発明の別の目的は、セット及びリセット機能を更に有し、ホームオートメーション分野の例のような当該機能を実行するための外部ユニットを必要としないステップ・バイ・ステップ式電気リレー構造体を提供することである。
【００１５】
本発明の更に別の目的は、複数の対応する又は類似のリレーに接続することにより、単一コマンドで駆動可能な電気リレー構体を構成可能なステップ・バイ・ステップ式電気リレー構造体を提供することである。
【００１６】
本発明の更に別の目的は、従来の電気装置の遮断器及びスイッチの全てに代替し、従来の方法で制御されるプッシュボタン構体を介して容易に制御できるよう構成されるステップ・バイ・ステップ式電気リレー構造体を提供することである。
【００１７】
本発明の更に別の目的は、メモリ又は記憶能力を更に備えることにより、例えば、ブラインド／シャッター等に用いられる電気モータ用の小型の中央制御装置を構成可能なステップ・バイ・ステップ式電気リレー構造体を提供することである。
【００１８】
本発明の更に別の目的は、広く市販されている材料から構成でき、大がかりなメンテナンスを必要とせず、単に経済的観点からも非常に優位なステップ・バイ・ステップ式電気リレー構造体を提供することである。
【００１９】
本発明の様態によれば、以下に更に説明する上述の課題及び目的、及びその他の目的は、機械部材及び電気部材を備え、前記機械部材は使用者が操作するプッシュボタン手段を備え、前記電気部材は動作可能に相互接続されるコイル手段、コンデンサ手段、ダイオード手段、及び抵抗器手段を備える双安定型ステップ・バイ・ステップ式電気リレー構造体であって、前記コイル手段は相互に並列に接続される２個のコイル、又は分極化又はバイアスにより２個の極性を有する単一コイルのいずれかを備え、前記使用者が前記プッシュボタン手段を操作して前記リレー構造の少なくとも１個の接点をスイッチング又は交換することにより、前記コイルのうち一方が短絡、又は前記単一コイルの前記２個の極性が相互に逆転し、前記電気リレー構造体にセット及びリセット論理機能を与えることを特徴とする、双安定型ステップ・バイ・ステップ式電気リレー構造体により達成される。
【００２０】
本発明による電気リレー構造体の更なる特性及び利点を、説明のみを目的として限定を意味しない例示としての添付の図面により、現時点での好ましい実施形態を参照して以下により詳細に説明する：
【図面の簡単な説明】
【００２１】
【図１】図１は本発明の電気リレー構造体の可能な好ましい実施形態の拡大斜視図であり、前記電気リレー構造体が極小型（数ミリメータ程度）であることを明確に示す。
【図２】図２は本発明の電気リレー構造体の実施形態の詳細な回路図を示す。
【図３】図３は本発明の電気リレー構造体の別の可能な実施形態の詳細な回路図を示す。
【図４】図４は本発明の電気リレー構造体の更に別の好ましい実施形態の詳細な回路図を示す。
【図５】図５は本発明の電気リレー構造体の別の好ましい実施形態の詳細な回路図を示す。
【図６】図６は本発明の電気リレー構造体の動作を理解するための原理電気回路図を示す。
【図７】図７は本発明の電気リレー構造体の動作を理解するためのオシロスコープ波形の写真である。
【図８】図８は本発明の電子リレー構造の動作をより理解するための原理電気回路図を示す。
【図９】図９は本発明の電子リレー構造の動作をより理解するための原理電気回路図を示す。
【図１０】図１０は本発明の電気リレー構造体のセット位置へのスイッチング動作ステップに関するオシロスコープ波形の写真である。
【図１１】図１１は本発明の電気リレー構造体のリセット状態へのスイッチング動作ステップに関するオシロスコープ波形の写真である。
【図１２】図１２は分極化単一コイルを備える電気リレー構造体に関するオシロスコープ波形の写真２枚であり、左の写真は正のセット・パルスを示し、右の写真は負のリセット・パルスを示す。
【図１３】図１３は本発明の電気リレー構造体の動作をより理解するための原理電気回路図を示す。
【図１４】図１４は本発明の電気リレー構造体の動作をより理解するための原理電気回路図を示す。
【発明を実施するための形態】
【００２２】
上述の図を参照して、特に図１において本発明による電気リレー構造体を参照番号１で概略示し、含まれる本発明による前記電気リレー構造体が（従来の電子リレーの寸法に略対応する）数十ミリメータ程度の極小型であることを明確に示す。
【００２３】
本実施形態において、図に明記した通り、筐体２は本発明による前記電気リレー構造体の主電気部材を収容し、参照番号４で概略示す外部コンデンサ構体３及び外部駆動構体を備える。
【００２４】
図２は、本発明による前記電気リレー構造体の可能な実施形態の詳細な電気回路図Ａを示す。
【００２５】
本図において、抵抗器Ｒ１は負荷電流を制限してプッシュボタンが損傷するのを防止する。
【００２６】
より詳細には、プッシュボタンＰ．Ｐ．が押圧されるとコンデンサＣ１及びコンデンサＣ２の荷電が同時に開始されるが動作は異なり、すなわち交換を実行すべきコンデンサ（Ｃ１）がコイルＡに電流を流すと共に、交換接点が動作すべきではないコイルＢを短絡させるため他方のコンデンサ（Ｃ２）が略即時に荷電される。
【００２７】
抵抗器又は抵抗Ｒ３、Ｒ４は、スイッチング動作間に前記コンデンサＣ１、Ｃ２が完全に荷電されず未荷電分の残留電荷が発生した場合の、その他バウンス又はバックスイッチの発生を防止する。
【００２８】
抵抗Ｒ２は、前記コンデンサＣ１、Ｃ２との組合せにより、コマンドＰＰから他コマンドへの経過時間の秒数を調節する。
【００２９】
本願出願人が提供する利点の一つは０．１秒から１５秒のスイッチング時間であり、当業者には自明の通り、当該スイッチング時間は前記抵抗Ｒ２、前記コンデンサＣ１、Ｃ２の数値を適切に選択することにより適切に選択可能である。
【００３０】
したがって、Ｒを押圧することにより、接点の位置に関わらずいつでも切状態へのスイッチング動作が可能である。
【００３１】
反対に、Ｓを押圧することにより、接点の位置に関わらずいつでも入状態へのスイッチング動作が可能である。
【００３２】
本発明の利点の一つは動作電圧が１６０Ｖａｃから２６０Ｖａｃの範囲であることである。
【００３３】
本願出願人が実際の電気リレーに対して行った試験より、２２０Ｖで１，７００Ｗの電力を通電することが可能であると確認された。
【００３４】
したがって、前記リレーの前記コイルＡ、Ｂ、及び前記複数の構成部材は比較的高いインピーダンスを有するため、従来の１．５ｍｍ２の電線を用いて数キロメートル程度の距離から装置を駆動可能である。
【００３５】
次に、図２に記載の前記電気リレー構造体の回路接続の詳細な様態を開示するが、前記構造は、各々が、第１の抵抗器Ｒ１を介して供給電圧（２２０Ｖａｃ）の電極に接続される一方端と、各々他方端が接地される２個のコイル（Ａ、Ｂ）の一方端の各々に接続される他方端とを有する第１のコンデンサ（Ｃ１）及び第２のコンデンサ（Ｃ２）と、各々が、前記コンデンサ（Ｃ１、Ｃ２）の各々の前記他方端の間に接続される陰極と、各々がプッシュボタン手段（Ｎ）に接続される陽極を有する第１のダイオード（Ｒ）及び第２のダイオード（Ｓ）と、前記コンデンサ（Ｃ１、Ｃ２）の前記端部の各々及び前記供給電圧（２２０Ｖａｃ）に接続されて前記コンデンサ（Ｃ１、Ｃ２）の荷電電流を制限する前記第１の抵抗器（Ｒ１）、一方端が前記第１の抵抗器（Ｒ１）の端部に接続され、他方端が接地されて一コマンドから他コマンドへのスイッチング時間を調節する第２の抵抗器（Ｒ２）、前記プッシュボタン手段（ＰＰ）、及び各々一方端が接地され、他方端が前記コンデンサ（Ｃ１、Ｃ２）の前記端部の各々に接続（Ｒ４がＣ１に、及びＲ３がＣ２に）されてバウンス及びバックスイッチを防止する第３の抵抗器（Ｒ３）及び第４の抵抗器（Ｒ４）を備える抵抗手段と、を備える。
【００３６】
図３は本発明による前記電気リレー構造体の別の実施形態の詳細な電気回路図Ｂ１を示し、電気回路図Ｂ１は上述の回路Ａの理論構成に略基づきコンデンサＣ３を追加したものであり、前記コンデンサＣ３は交換動作の終了時に、その極性を逆転させることにより、非活又は無効状態に保持されるべきコイルの状態保持（ｌｏｃｋ）を更に向上させる。
【００３７】
より詳細には、前記プッシュボタンＰ．Ｐ．が押圧されると、前記コンデンサＣ１、Ｃ２の荷電が開始される。
【００３８】
内部交換によりパルスは前記コイル（Ａ）のみを流れ、他方の前記コイル（Ｂ）は短絡する。
【００３９】
交換動作の終了時に前記コンデンサＣ１、Ｃ２は略荷電され、Ｃ３が自身の極性を逆転させて前記コイルＡを放電させることにより残留電荷を防止するため、前記コイルＡの状態は更に保持される。
【００４０】
Ｃ３は更に、製造者毎に異なると思われるリレー構造の機械的反応時間の問題を解決する。  
【００４１】
前記コンデンサＣ３は更に内部接点の（２０を超える）バウンスを抑制し、これによりリレーのスイッチング動作が抑制される。
【００４２】
前記プッシュボタンＰ．Ｐ．が解除されると、前記コンデンサＣ１、Ｃ２は、好ましくは０．１秒から１５秒から選択されるＲ１が確保した時間放電される。
【００４３】
当該時間が経過すると、本発明による前記リレー構造は次の動作を実行可能な状態となる。
【００４４】
電気的接続を詳細に参照して、図３の前記電気リレー構造体の実施形態は、各々が、共に前記コンデンサＣ３に接続される第１の端部、すなわち図３における上端を有する２個の前記コイルＡ、Ｂを備える。
【００４５】
前記コイルＡの前記第１の端部（前記上端）はコンデンサＣ１の第１の端部に接続され、コンデンサＣ１の他方端は抵抗器（Ｒ１）を介して電源電圧２２０Ｖａｃに接続される。
【００４６】
前記コンデンサＣ１の他方端は抵抗器Ｒ２の一方端に接続され、前記抵抗器Ｒ２の他方端は前記抵抗器Ｒ１に接続され；Ｃ１の他方端は更にダイオードＲの陰極に接続され、前記ダイオードＲの陽極はプッシュボタン（Ｎ）の一方端に接続される。
【００４７】
前記コンデンサＣ２の一方端は前記抵抗器Ｒ１の前記端部に接続され、前記コンデンサＣ２の他方端は前記コイルＢの前記第１の端部（前記上端）に接続され、前記コイルＢの第１の端部は別なダイオードＳの陰極に接続され、前記ダイオードＳの陽極は別のプッシュボタン（Ｎ）の一方端に接続される。
【００４８】
前記コイルＡ、Ｂは、交換接点Ｃに連結するＣｂにおいて相互接続される２個の第２の端部（下端）を有し、前記交換接点Ｃは前記コイルＢの前記端部に直接接続される端子Ｒと、前記コイルＡの前記端部に直接接続される端子Ｓとの間でスイッチング可能である。
【００４９】
前記交換接点Ｃは、切位置（Ｒ１）と入位置（Ｓ１）との間でスイッチング可能な別の交換接点に機械的に接続される。
【００５０】
図４は、本発明による前記電気リレー構造体の別の実施形態Ｂ２を示す。
【００５１】
より詳細には、図Ｂ２は、前記回路Ａにおいて単一コンデンサＣ１を前記抵抗器Ｒ１、Ｒ２、Ｒ３間で動作させることにより大きく単純化したものである。
【００５２】
当該単一コンデンサを用いることにより、スイッチング動作終了時にＣ１が更に交換を実行するための十分な電力又はエネルギを有さないため、パルスの自動調節（０．００２秒）が可能となる。
【００５３】
すなわち、前記プッシュボタンＰ．Ｐ．が押圧されるとＣ１の荷電が開始され、内部交換又はスイッチング動作によりパルスが一方の単一コイルに伝達され、一方で他方は短絡するため、２個のコイルが分離され、短絡電流が抑制される。
【００５４】
スイッチング動作終了時において、Ｃ１はほぼ放電されて次のコマンド動作を実行する容量を有さない。
【００５５】
前記プッシュボタンＰ．Ｐ．が解除されると、Ｃ１はＲ１が確保する好ましくは０．１秒から１５秒の間の時間、放電される。
【００５６】
当該スイッチング動作の後、本発明による前記リレーは次の動作を実行可能な状態となる。
【００５７】
Ｃ３は、リレー毎（リレー製造者毎）に異なると思われる機械的反応時間の問題を解決する。
【００５８】
実際の動作において、Ｃ３はスイッチング動作を行う際に極性を逆転させ、これにより交換されるべきコイル上のパルスを更に向上させる。
【００５９】
また、（２０を超える数の）内部接点のバウンスを減衰させることにより、前記リレーのスイッチング動作を防止できる。
【００６０】
図４に記載の前記電気リレー構造体Ｂ２の別の実施形態において、前記２個のコイル（Ａ、Ｂ）の各々は、相互接続され、且つ第１のダイオードの陰極に接続される（下方）端部を有し、前記第１のダイオードの陽極は前記プッシュボタン  Ｐ．Ｐ．に接続され、前記コイルＡ、Ｂの他方（上方）端部の各々は第１のコンデンサ（Ｃ３）を介して相互接続され、前記第１のコンデンサ（Ｃ３）の一方端は前記コイルＡ、及び２個の抵抗器Ｒ２、Ｒ１を介して前記供給電圧（２２０Ｖａｃ）に接続され、他方端は第３の抵抗器（Ｒ３）の一方端に接続され、前記第３の抵抗器（Ｒ３）の他方端は別のコンデンサＣ１の一方端に接続され、前記コンデンサＣ１の他方端は前記電源電圧に接続され、前記抵抗器（Ｒ２、Ｒ３）各々の２個の共有端部の各々は相互に直接接続される。  
【００６１】
図５は、本発明による前記電気リレー構造体の更に別の実施形態の詳細な電気回路図Ｂ３を示し、本発明の主な様態によれば、異なる極性（−及び＋）で分極される単一コイルが設けられ、上述の図Ａ、Ｂ１、Ｂ２のものとは異なる相補型理論回路が形成される。
【００６２】
当該リレーの実施形態は、前記単一コイルＡ−Ｂの極性（−及び＋）を逆転させることによりスイッチング動作を一方側又は他方側で実行するよう構成される。
【００６３】
すなわち、前記プッシュボタンＰ．Ｐ．が押圧されると、前記コンデンサＣ１の荷電が開始され、内部交換又はスイッチング動作によりＡ及びＢ上のパルスが短絡する。
【００６４】
スイッチング動作においてコイルの極性が逆転し、前記コンデンサＣ１が略放電され、Ｒ４及びＲ５が残留電荷を吸収するため次のスイッチング動作を実行できない。
【００６５】
再度前記プッシュボタンＰ．Ｐ．が押圧されると、内部交換により今度はＡが短絡するため、上記動作モードがコイル極性（＋及び−）逆転した状態で再度実行される。
【００６６】
前記プッシュボタンＰ．Ｐ．が更に押圧されると、前記コンデンサＣ１はＲ１、及びＣ１自身の静電容量により確保された好ましくは０．１秒から１５秒から選択される放電時間で放電される。
【００６７】
当該時間が経過すると、本発明による前記リレー構造は次の動作を実行可能な状態となる。
【００６８】
その際、前記コンデンサＣ３は極性を安定させる。
【００６９】
すなわち、図５に記載の単一コイルによる実施形態の電気的接続を参照して、前記単一コイル（Ａ、Ｂ）の第１の端部（Ａ）は第１の抵抗器（Ｒ２）の第１の端部に接続され、前記第１の抵抗器（Ｒ２）の第２の端部は第２の抵抗器（Ｒ１）の第１の端部に接続され、前記第２の抵抗器（Ｒ１）の第２の端部は前記電源電圧（２２０Ｖａｃ）に接続され、前記コイルの前記第１の端部（Ａ）は更に第３の抵抗器（Ｒ４）の第１の端部に接続され、前記第３の抵抗器（Ｒ４）の第２の端部は第１の位置（Ｒ）から第２の位置（Ｓ）にスイッチング可能な交換接点の一端子（Ｃ）に接続され、前記端子（Ｃ）は第１のダイオードの陰極に接続され、前記第１のダイオードの陽極は第１のプッシュボタン（Ｐ．Ｐ．）に接続され、前記交換接点の前記端子（Ｃ）は切位置から入位置にスイッチング可能な別の交換接点（Ｃ１）の端子（Ｃｏｍ）に、第１のコンデンサ（Ｃ３）に接続される前記単一コイルと並列に機械的に接続され、前記第１のコンデンサ（Ｃ３）の一方端は前記第３の抵抗器（Ｒ４）の前記第１の端部に接続され、前記第１のコンデンサ（Ｃ３）の他方端は前記単一コイル（Ａ、Ｂ）の第２の端部（Ｂ）及び第５の抵抗器（Ｒ５）の一方端に接続され、前記第５の抵抗器（Ｒ５）の他方端は前記第１のダイオードの前記陰極に接続され、前記単一コイル（Ａ、Ｂ）の前記第２の端部（Ｂ）は第４の抵抗器（Ｒ３）の第１の端部に接続され、前記第４の抵抗器（Ｒ３）の第２の端部は第２のコンデンサ（Ｃ１）の第１の端部に接続され、前記第２のコンデンサ（Ｃ１）の第２の端部は前記電源電圧（２２０Ｖａｃ）に接続され、前記第１の抵抗器（Ｒ２）の前記第２の端部は前記第４の抵抗器（Ｒ３）の前記第２の端部に短絡し、前記第１の抵抗器（Ｒ２）の前記第１の端部は第２のダイオード（Ｒ）の陰極に直接接続され、前記第２のダイオード（Ｒ）の陽極は第２のプッシュボタンに接続され、前記第５の抵抗器（Ｒ５）の前記端部は陽極が第３のプッシュボタンに接続される第３のダイオード（Ｓ）の陰極及び前記交換接点の端子（Ｒ）に接続され、前記交換接点別の端子（Ｓ）は前記単一コイルの前記第１の端子（Ａ）及び前記第１のコンデンサ（Ｃ３）の前記第１の端部に接続される。
【００７０】
図６から図１４（より詳細には図６；図８：図９；図１３及び図１４に記載の原理電気回路図）を参照して、上述の図２から図５に記載の電気回路図に示す本発明による前記電気リレー構造体の実施形態の動作を詳述する。
【００７１】
上述の通り、前記電気リレーは双安定型であり、２個のコイル又は直流分極される単一コイルを備え、スイッチング時間は０．００１秒であり、二重交換接点（Ｃ−Ｎｏ−Ｎｃ）を備える。
【００７２】
公知の通り、２個のコイルを備えるリレーは最後のスイッチング動作において入状態に保持できる機能を備える。
【００７３】
すなわち、プッシュボタンを介して前記コイルＡを与えると接点はセット（ＳＥＴ）に配置され常に当該位置に保持され、前記コイルＢを与えると接点はリセット（ＲＥＳＥＴ）に配置され保持される。
【００７４】
したがって、前記リレーをスイッチングするためには２個の個別のプッシュボタンが必要となる。
【００７５】
この問題は、スイッチング動作を実行するために単一プッシュボタンが用いられている場合、更に複雑である。
【００７６】
原理図（図６）に示す通り、内部交換接点を用いて関与するコイルを有効にすることにより、交換又はスイッチング動作が可能となる。
【００７７】
なお、当該接続において、前記リレーは約１／１０００秒で入状態となり、前記リレーの接点において約  ４／１０００秒間に約２０回のバウンスが発生し、通常、作業者はプッシュボタンを少なくとも２５０／１０００秒以上押圧状態に保持する：これにより前記リレーが発振し、スイッチング動作が１回のみならずかなりの多数回行われる。
【００７８】
上記に関して、図７に示すオシロスコープ波形を参照する。
【００７９】
図から分かる通り、セットからリセットへの交換又はスイッチング動作により、Ａにおいて接触が開始され、０．０００８秒でＢに到達し、次に不定領域において少なくとも２０回バウンスして０．００４５秒後に安定する。
【００８０】
交換を安定して行うためには、装置にＡＢ間で動作させる必要がある。
【００８１】
上記問題を防止するためには、例えば少なくとも数十個の異なる電子部材を設け、その全てに安定電圧を供給することにより、（プッシュボタンの押圧時間に関わらず）１／１０００秒より短い単一パルスを生成させればよい。
【００８２】
上記に追記するが、電子回路は、付随する制限も含めた上で、過熱を避けるために半導体リレーのみを駆動させてもよい（ＬＥＤ電球等）。
【００８３】
従来の接点（すなわち非半導体接点）を備えるステップ・バイ・ステップ式電子リレー構造は市販されているが、それらは連続的に電力供給しなければならず、すなわち３線式ではなく４線式配列でなければならないため、停止状態において少なくとも１ワット消費し、電圧の切動作を行う場合、蓄積容量を失ってゼロに戻り、リセットされる。
【００８４】
したがって、本発明は次の２つの課題を達成する：１）本発明のリレーを２２０Ｖａｃで直接動作させる；２）パルスを自動調節するリレー構造を提供する。
【００８５】
理論的には：単一駆動又はコマンド、単一交換又はスイッチング動作である。
【００８６】
上記に関連して、リレー構造の各々は、たとえ同一製造者による同一バッチのものであっても全く異なるスイッチング時間及び構造パラメータを有する。
【００８７】
したがって、本願出願人は交換動作において所定時間で作動しないコイルを「無効化」又は切動作することにより上記問題を解決し、これを非常に少ない数の構成部材で実現した。
【００８８】
すなわち、本発明による前記リレー構造は、交換動作に関与しないコイルを短絡させることにより電気部材及び機械部材を連動させ、装置全体としてスイッチング動作から次の動作へ移る時間及びモードの自動調節を可能とするものである（図８及び図９等参照）。
【００８９】
上記は単に、本発明の前記電気リレー構造体が動作するための動作原理である。
【００９０】
上記原理の有効性を検証するため、本願出願人は、２個のコイルに印加される２つの電圧を同時検出するため、２チャネルのオシロスコープを用いて、作成した電気リレー構造体を実証試験した。
【００９１】
図１０を参照して、波形Ａはリレーのセット又は入状態にスイッチングされる前記コイルＡに関する。
【００９２】
また、波形Ｂはリレーのリセット又は切状態にスイッチングされる前記コイルＢに関する。
【００９３】
図１０に示す波形により、前記プッシュボタンＰ．Ｐ．が押圧されると前記コイルＡに電圧が印加され、前記コイルＢは短絡するため電圧が印加されないことは、当業者に自明である。
【００９４】
更に図８及び図９を参照する。
【００９５】
その結果、前記コイルＡがスイッチング動作を実行し、約０．００１秒後、前記コイルＢが動作可能となり次に再度スイッチングを試みる：しかしながら、実際の動作において回路の無効化によりパルスは大きく減衰されるため、交換が更に補償又は無効化された後、かなりの回数のバウンスが発生する。
【００９６】
２０ミリ秒（すなわち、主電源電圧の周波数５０Ｈｚに対応する時間）後、自由状態の前記コイルＢはスイッチングを再度試みるが、今度は短絡電気装置がプッシュボタンにより供給されたエネルギを確実に無効化するため、プッシュボタンを長時間押圧したとしても前記リレーは確実に安定化する。
【００９７】
プッシュボタンが更に押圧されると、図１１に示すように、今度は前記コイルＢに対して上述の方法が再度実行される。
【００９８】
すなわち、図から分かる通り、磁石のＳ極及びＮ極に係るヒステリシス磁気現象により２個のコイルは（インピーダンスが同一であっても）異なる様態で動作するため、パルスは２個のコイルに対して非対称である。  
【００９９】
より詳細には、図１１はリセットするためのスイッチング・ステップ（Ｂ）を示し、図１２は分極化単一コイルからなるリレーに関する波形である：当該波形から、パルスはセット状態（図１１）において正であり、リセット状態（図１２）において負であることが分かる。
【０１００】
図１３及び図１４を参照して、各コイルに更に２個の駆動又はコマンド端子を追加することにより、電気接点の位置に関わらず、本発明のリレー構造にセット条件及びレスト条件を直接適用することが可能となる。
【０１０１】
したがって、本発明が提供する新規な電気リレー構造体は電圧２２０Ｖａｃで電力が直接供給される単一小型装置に設けられ、その他の駆動カードから完全に独立しており、ステップ・バイ・ステップ、セット及びリセット機能を備える。
【０１０２】
上記した、本発明による前記電気リレー構造体の複数の実施形態に係る詳細な電気回路図及び原理電気回路図より、本発明のリレー構造は新規で発明的な回路構想に基づいて動作することは明らかであり、すなわち、従来の２個のコイルを備えるリレー構造を変形させて動作しないコイル又は一方側を短絡させることにより、又は分極化又はバイアスした単一コイルの極性を逆転させることにより、極小型で動作ノイズが発生せず、電子部材を必要とせず、非常に少ない数の受動素子のみ備える非常に安定したステップ・バイ・ステップ式リレー構造である。
【０１０３】
すなわち、本発明はホームオートメーション分野の例のような外部制御装置を必要とせず、セット及びリセット機能を更に有するステップ・バイ・ステップ式電気リレー構造体を提供する。
【０１０４】
したがって、本発明は現在も広く用いられている従来のステップ・バイ・ステップ式電気リレー構造体を大きく改良するものである。
【０１０５】
したがって、本発明は意図する課題及び目的を完全に達成するものである。
【０１０６】
本発明の電気リレー構造体を現時点での好ましい実施形態を参照して説明したが、本発明の着想範囲において、いかなる変形及び変更も可能であるものとする。
【図１】
0006779239.tif 000002
【図２】
0006779239.tif 000003
【図３】
0006779239.tif 000004
【図４】
0006779239.tif 000005
【図５】
0006779239.tif 000006
【図６】
0006779239.tif 000007
【図７】
0006779239.tif 000008
【図８】
0006779239.tif 000009
【図９】
0006779239.tif 000010
【図１０】
0006779239.tif 000011
【図１１】
0006779239.tif 000012
【図１２】
0006779239.tif 000013
【図１３】
0006779239.tif 000014
【図１４】
0006779239.tif 000015